(57)【要約】【課題】  開栓後、取り落としたり、紛失しないネジキャップを提供する。【解決手段】  ボトルの開口部のネジ部下方に設けた封緘リングと、小連結部で封緘リングに可切断的に結合したネジキャップとからなるボトルキャップにおいて、ネジキャップの下方に設置したスカート部に螺線状切り離しスリットを設け、スリットの間に連続した紐状の連結部材を形成し、該連結部材によりネジキャップと封緘リングとをキャップのネジ方向にほぼ直線状に連結してなる取り落とし防止キャップである。【選択図】    図１
2005289488.tif 000002
【特許請求の範囲】
【請求項１】
ボトルの開口部のネジ部下方に設けた封緘リングと、小連結部で封緘リングに可切断的に結合したネジキャップとからなるボトルキャップにおいて、ネジキャップの下方に設置したスカート部に螺線状切り離しスリットを設け、スリットの間に連続した紐状の連結部材を形成し、該連結部材によりネジキャップと封緘リングとをキャップのネジ方向にほぼ直線状に連結してなる取り落とし防止キャップ。
【請求項２】
切り離しスリットが平行線状で、スカート部をほぼ一周し両端が連結しない複数本のスリットであって、ネジキャップに近いスリットの一端が他のネジキャップから遠いスリットの一端と中央切り離しスリットで連結したスリットである、請求項１に記載された取り落とし防止キャップ。
【請求項３】
切り離しスリットがスカート部を貫通する深さのスリットであって該スリットにより、形成される紐状の連結部材を封緘リングに可切断状に連結したスリットである、請求項１に記載された取り落とし防止キャップ。
【請求項４】
切り離しスリット間に形成される紐状の連結部材は、ネジキャップを開いた時一端はネジキャップに、他端は封緘リングに連結した紐状の連結部材である、請求項１ないし３のいずれか１項に記載された取り落とし防止キャップ。
【発明の詳細な説明】
【技術分野】
【０００１】
本発明は、ボトルのネジキャップを開栓したときにキャップを取り落とすことを防止したキャップに関する。
【背景技術】
【０００２】
飲料ＰＥＴボトルのキャップを開けた後、取り落としてしまうことが多いため、それを防止できないかという要望があった。しかし現行キャップに他部品の連結紐を取り付けて、この問題を解決しようとすると、２部品のためコストＵＰになり、採用されなかった。
蓋の支持機構を有するキャップとして醤油ボトルなどで使用されているヒンジキャップがあるが、中栓の開封後は液密性が劣り、静置用途には適用可能でも、携行され倒立にある場合の有る清涼飲料水のボトルなどには適用できない。
これを解決するものとして、特開平１１−７０９６７号、特許第３０７４１７３号、特開２００２−１５４５７２号、特開２００２−６８２７２号など提案されているが、２部品になることや、連結片がキャップ外方に飛び出しているため、開栓時に手を掛ける際に邪魔になったり、充填密封の際に従来の巻き締め機（キャッパー）が使用できないといった問題や、螺脱したキャップがボトル口部のすぐ隣に支持されるので、ボトル口から直接口をつけて飲用する際に、キャップが邪魔になるといった問題があった。
【特許文献１】特開平１１−７０９６７号公報
【特許文献２】特許第３０７４１７３号公報
【特許文献３】特開２００２−１５４５７２号公報
【特許文献４】特開２００２−６８２７２号公報
【発明の開示】
【発明が解決しようとする課題】
【０００３】
ボトルのネジキャップを開けた後、キャップを取り落としたり、紛失しないネジキャップを提供する。
【課題を解決するための手段】
【０００４】
即ち、本発明は、
「１．  ボトルの開口部のネジ部下方に設けた封緘リングと、小連結部で封緘リングに可切断的に結合したネジキャップとからなるボトルキャップにおいて、ネジキャップの下方に設置したスカート部に螺線状切り離しスリットを設け、スリットの間に連続した紐状の連結部材を形成し、該連結部材によりネジキャップと封緘リングとをキャップのネジ方向にほぼ直線状に連結してなる取り落とし防止キャップ。
２．  切り離しスリットが平行線状で、スカート部をほぼ一周し両端が連結しない複数本のスリットであって、ネジキャップに近いスリットの一端が他のネジキャップから遠いスリットの一端と中央切り離しスリットで連結したスリットである、１項に記載された取り落とし防止キャップ。
３．  切り離しスリットがスカート部を貫通する深さのスリットであって該スリットにより、形成される紐状の連結部材を封緘リングに可切断状に連結したスリットである、１項に記載された取り落とし防止キャップ。
４．  切り離しスリット間に形成される紐状の連結部材は、ネジキャップを開いた時一端はネジキャップに、他端は封緘リングに連結した紐状の連結部材である、１項ないし３項のいずれか１項に記載された取り落とし防止キャップ。」
に関する。
【発明の効果】
【０００５】
本発明のキャップは、キャップを開いた状態でもキャップはボトルに連結部材で連結しており、キャップを取り落としたり、紛失することは起らない。またキャッピングに際しては、従来のキャッパーを大巾に改造することなく、使用して巻締めすることができる。
【発明を実施するための最良の形態】
【０００６】
ネジキャップを用いるボトルは、ネジキャップをネジ部より下のボトルのネジ開口部下方に設けた封緘リングと多数の小連結材で可切断的に結合して、キャップを固定している。本発明はこの封緘リングとキャップのネジ部より下のスカート部を利用して、ネジキャップと封緘リングを連結する紐状連結部材を形成し、キャップを開けたときキャップが取り落とされたり紛失するのを防止するものである。
図面により実施の形態を説明する。紐状連結部材５は、キャップのスカート部２を利用して形成するのが簡単である。図１のスカート部２に螺旋状の切り離しスリット４をスカート部を少なくとも一周して、一端をキャップの下部と連結したスカート部の上部に結合し、他端を封緘リング３の上部に結合した紐状部材を形成する。スリットの内側は、多数の小連結部を連結され、キャップ、スリット部、封緘リングは一体に成形されている。
封緘の機能は従来のものと同等である。
勿論このような形状の紐状体をキャップと封緘リングの間にはめ込んでもよい。
この他、図２に示すようにスカート部２に、スカート部をほぼ１周する並行の２本の切り離しスリット４を配置し、上方のスリットの上部の細いスカート部をキャップ１に連結し、下方のスリット４の下部の細いスカート部を小連結部６により可切断的に封緘リング３に連結し、該スリットの上部の１つの端部と下部の１つの端部とを、その間に設けた中央切り離しスリット７により斜めタスキかけ状に連結してもよく、また、このような構造の紐状連結片をキャップと封緘リングの間にはめ込んでもよい。
【０００７】
このようにして形成したネジキャップを、開栓して開いたところを説明する。
図１に示されたネジキャップを開くと、螺旋状スリット４が切り離されて紐状となる。上部のスリットより上方のスカート部２は、ネジキャップ１の下部に連結しており、下部のスリットより下方のスカート部は封緘リングに連結しているから、ネジキャップの回転に従って図３に示すように、一端はキャップに連結し、他端は封緘リングに連結した紐状の連結部材５が形成されるので、キャップはボトルと連結しており、取り落としたり紛失することはない。
また図２の非螺旋状スリットの場合は、スリット４で切り離されている紐状連結部材２は小連結部６によりキャップに連結しているので、キャップを開けると小連結部６が切断され、スリット４も切り離される。２本のスリットは、中央スリットにより連結し、図４に示すように一端はキャップに、他端は封緘リングに連結した１本の紐状連結部材が形成される。
【０００８】
キャップは封緘リングに連結しているので、取り落としても図４に示すように、ボトルから離れることはない。
キャップを開くと、スリットを連結し、また紐状連結部材を連結した小連結部は切断され、紐状連結部材は一本の紐状となり、キャップ及び封緘リングとは夫々一端で連結する。そしてキャップと封緘リングは分離する。この形状なるのでキャップを手離しても取り落とすことはなく、紛失も生じないのである。
紐状連結部材の長さは適宜定められるが、ネジキャップがボトルノズルからはずれる長さ以上、キャップを一周する長さがあれば充分である。
紐状連結部材はネジキャップと同じ材料で作成することができる。この場合は、例えばインジェクションや圧縮成形によりネジキャップの製造時に、その下方にスカート部を形成し、ここにスリットを入れて紐状部材を形成すればよい。この他、キャップと別の材料を用いてスリットを入れた紐状連結部材を製造し、これをネジキャップと封緘リングの間に配置し、端部を夫々ネジキャップ、封緘リングに連結すればよい。この方法は、キャップと紐状連結部材を異なる材質で形成する場合に有利である。
キャップと紐状連結部材を形成する材料としては、ポリエチレン、ポリプロピレン、ナイロン、ペット等が用いられ、これ等は両者を同時成形することができる。
【実施例】
【０００９】
ポリプロピレンを材料として用い、射出成形して、図１のキャップを製造した。このキャップを、水を充填した飲料用ＰＥＴボトルの口部にキャッパーにて巻き締めして結合した。次に、この密封したボトルのネジキャップを手で回転して、ボトルを開栓した。キャップを落としたところ、紐状連結部材によりキャップのスカート部材と封緘リングに連結しており、取り落としや紛失の恐れは全くない。
【産業上の利用可能性】
【００１０】
本発明は従来解決できなかった、キャップを開いたとき発生するキャップの取り落としや紛失の問題を解決したものであり、ネジキャップを用いたボトルの分野で広く利用されるものである。
【図面の簡単な説明】
【００１１】
【図１】本発明の実施例のキャップの説明図である。
【図２】本発明の他の実施例のキャップの説明図である。
【図３】図１のキャップを開いたところを示す説明図である。
【図４】図２のキャップを開いたところを示す説明図である。
【符号の説明】
【００１２】
１  ネジキャップ
２  スカート部
３  封緘リング
４  スリット
５  紐状れ結部材
６  小連結部材
７  中央スリット
【図１】
2005289488.tif 000003
【図２】
2005289488.tif 000004
【図３】
2005289488.tif 000005
【図４】
2005289488.tif 000006